(57)【特許請求の範囲】
【請求項１】
乗降用扉の上部に設けられるハンガーローラを介して前記乗降用扉をスライド可能に吊るすハンガーレールを清掃するためのハンガーレール清掃装置であって、
一方側に前記ハンガーレール上に溜まった異物を除去するための清掃部と、他方側に前記ハンガーレール上に油を塗布するための塗布部と、が設けられる本体部を備え、
前記清掃部と前記塗布部の少なくとも１つは前記本体部の長手方向に対する角度を変更可能な角度調整部を有しており、
前記角度調整部は、前記清掃部または前記塗布部を前記本体部に対し回動可能に連結するピンと、前記本体部の長手方向に対する前記清掃部または前記塗布部の角度を調整した後に固定されて前記清掃部または前記塗布部を前記本体部に対し回動不能に固定する固定部とを含む、ことを特徴とするハンガーレール清掃装置。
【請求項２】
請求項１に記載のハンガーレール清掃装置において、
前記本体部は、
前記ハンガーレールのうちの清掃対象の位置に応じて長さを調節するための伸縮部を有することを特徴とするハンガーレール清掃装置。
【請求項３】
請求項１または請求項２に記載のハンガーレール清掃装置において、
前記清掃部と前記塗布部の少なくとも１つの形状は、前記ハンガーレールの外形に沿った形状であることを特徴とするハンガーレール清掃装置。
【請求項４】
請求項３に記載のハンガーレール清掃装置において、
前記ハンガーレールの外形に沿った形状は、略Ｊ字形状であることを特徴とするハンガーレール清掃装置。
【請求項５】
請求項１から請求項４のいずれか１に記載のハンガーレール清掃装置において、
前記清掃部と前記塗布部の少なくとも１つは、前記本体部に対して着脱可能であることを特徴とするハンガーレール清掃装置。
【請求項６】
請求項１から請求項５のいずれか１に記載のハンガーレール清掃装置において、
前記塗布部は、前記ハンガーレールに塗布するための潤滑油が含浸される含浸部を有することを特徴とするハンガーレール清掃装置。
【請求項７】
請求項６に記載のハンガーレール清掃装置において、
前記含浸部は、高い吸油性を有することを特徴とするハンガーレール清掃装置。
【発明の詳細な説明】
【技術分野】
【０００１】
本発明は、ハンガーレール清掃装置に係り、特に、乗降用扉をスライド可能に吊るすハンガーレールを清掃するためのハンガーレール清掃装置に関する。
【背景技術】
【０００２】
現在、商業施設等の様々な場所において、エレベータが設置されている。エレベータの乗りかごに乗り降りするために、乗りかご扉と乗場扉とが設けられているが、これらの乗降用扉の上部にはハンガーローラが取り付けられている。そして、当該ハンガーローラを介して上記乗降用扉をスライド可能に吊るすためにハンガーレールが設置されている。
【０００３】
本発明に関連する技術として、例えば、特許文献１には、敷居溝に設けられた敷居レールと、この敷居レール上を転動する敷居ローラと、この敷居ローラが下部に設けられているとともに敷居ローラの転動により左右方向に開閉可能な乗場戸と、この乗場戸を吊下する吊り手を備えるエレベータの出入口装置が開示されている。さらに、当該エレベータの出入口装置は、この吊り手に回転自在に設けられたハンガーローラと、前記敷居レールと平行に設けられているとともに上面を前記ハンガーローラが転動するハンガーレールとを備えていることが開示されている。
【先行技術文献】
【特許文献】
【０００４】
【特許文献１】特開平９−２９５７８３号公報
【発明の概要】
【発明が解決しようとする課題】
【０００５】
ところで、エレベータを長期間使用していると、ハンガーレールの上には塵等が溜まってしまい、乗降用扉が十分に開閉できない場合が生じ得る。このため、保守作業員は、定期的な保守作業を行う際に、床面に立った状態で、先端部分が曲げられた清掃用の棒部材を用いて上記塵等を掻き落として清掃している。また、上記清掃作業とは別にハンガーレールの保守作業として潤滑油を塗布する給油作業を行なう必要があり、この場合、乗りかご等の上に登った状態で作業を行なう必要があるため、床面に立った状態で、清掃作業及び給油作業を両方行なえると便利である。
【０００６】
本発明は、ハンガーレールの清掃作業及び給油作業を行なうことを可能とするハンガーレールの清掃装置を提供することである。
【課題を解決するための手段】
【０００７】
本発明に係るハンガーレール清掃装置は、乗降用扉の上部に設けられるハンガーローラを介して前記乗降用扉をスライド可能に吊るすハンガーレールを清掃するためのハンガーレール清掃装置であって、一方側に前記ハンガーレール上に溜まった異物を除去するための清掃部と、他方側に前記ハンガーレール上に油を塗布するための塗布部と、が設けられる本体部を備え、前記清掃部と前記塗布部の少なくとも１つは前記本体部の長手方向に対する角度を変更可能な角度調整部を有しており、前記角度調整部は、前記清掃部または前記塗布部を前記本体部に対し回動可能に連結するピンと、前記本体部の長手方向に対する前記清掃部または前記塗布部の角度を調整した後に固定されて前記清掃部または前記塗布部を前記本体部に対し回動不能に固定する固定部とを含む、ことを特徴とする。
【０００８】
また、本発明に係るハンガーレール清掃装置において、前記本体部は、前記ハンガーレールのうちの清掃対象の位置に応じて長さを調節するための伸縮部を有することが好ましい。
【００１０】
また、本発明に係るハンガーレール清掃装置において、前記清掃部と前記塗布部の少なくとも１つの形状は、前記ハンガーレールの外形に沿った形状であることが好ましい。
【００１１】
また、本発明に係るハンガーレール清掃装置において、前記ハンガーレールの外形に沿った形状は、略Ｊ字形状であることが好ましい。
【００１２】
また、本発明に係るハンガーレール清掃装置において、前記清掃部と前記塗布部の少なくとも１つは、前記本体部に対して着脱可能であることが好ましい。
【００１３】
また、本発明に係るハンガーレール清掃装置において、前記塗布部は、前記ハンガーレールに塗布するための潤滑油が含浸される含浸部を有することが好ましい。
【００１４】
また、本発明に係るハンガーレール清掃装置において、前記含浸部は、高い吸油性を有することが好ましい。
【発明の効果】
【００１５】
上記構成によれば、清掃部を用いてハンガーレール上の異物を除去できるとともに、塗布部を用いてハンガーレール上に潤滑油を塗布することができる。これにより、１つの清掃装置を用いて、ハンガーレールの清掃作業及び給油作業を行なうことができる。
【図面の簡単な説明】
【００１６】
【図１】本発明に係る実施の形態において、エレベータの乗場扉の周辺の縦断面図である。
【図２】本発明に係る実施の形態において、ハンガーレールを清掃する際に用いるハンガーレール清掃装置である。
【図３】本発明に係る実施の形態において、保守作業員がハンガーレールに対して清掃作業及び給油作業を行う様子を示す図である。
【発明を実施するための形態】
【００１７】
以下に図面を用いて、本発明に係る実施の形態を詳細に説明する。また、以下では、ハンガーレールは乗場扉を吊り下げるものとして説明するが、乗場扉以外の扉であってもよく、例えば、乗りかご扉を吊り下げるためのハンガーレールであってもよい。
【００１８】
また、以下では、全ての図面において、同様の要素には同一の符号を付し、重複する説明を省略する。また、本文中の説明においては、必要に応じそれ以前に述べた符号を用いるものとする。
【００１９】
図１は、エレベータ１の乗場扉６の周辺の縦断面図である。エレベータ１は、ハンガーケース２と、ハンガーレール３と、ハンガーローラ４と、ハンガープレート５と、乗場扉６と、ドアシュー７と、乗場敷居８と、アップスラストローラ１１と、ストッパー１２とを備える。
【００２０】
ハンガーケース２は、エレベータ１の乗場出入口９の上方部の昇降路壁内面１３に固着されたケースである。ハンガーレール３は、ハンガーケース２内において床面１６に対して水平方向に敷設されたレールであり、ハンガーケース２の一部を折り曲げることにより一体成形されている。また、ハンガーレール３の上部は、図１に示されるように略凸型形状を有する。
【００２１】
ハンガーローラ４は、ハンガーレール３の上の略凸部に載置されて水平方向に転動する複数個のローラである。また、ハンガープレート５は、ハンガーローラ４を垂直部上部の前面側（乗場側）に複数個取り付けたＬ字状のプレートであり、乗場扉６の上部に取り付けられている。このように、ハンガーローラ４は、乗場扉６の上部に取り付けられている。
【００２２】
乗場扉６は、ハンガープレート５の下端水平部にボルト１４により固着されたドアで、乗場出入口９を開閉する。ドアシュー７は、乗場扉６の下端部に取り付けられたドアシューである。乗場敷居８は、ドアシュー７を案内する敷居である。
【００２３】
アップスラストローラ１１は、ハンガープレート５の前面側（乗場側）に固定され、ハンガーレール３の下面に接触させたローラであり、乗場扉６の振れ止めとして機能している。
【００２４】
ストッパー１２は、ハンガープレート５の垂直部上端部をハンガーケース２の天井部付近まで延長し、この延長された垂直部上端部の前面側（乗場側）に取り付けられたストッパーであり、乗場扉６の傾き阻止として機能している。
【００２５】
図２は、ハンガーレール３を清掃する際に用いるハンガーレール清掃装置１０である。ハンガーレール清掃装置１０は、清掃部３０と、本体部２０と、塗布部４０とを有する。
【００２６】
本体部２０は、同形で大きさの異なる筒部材を順に組み入れるように作った入れ子構造を有し、各筒部材を出し入れすることで伸縮することができる。本体部２０は、清掃部側コネクタ部２０１と、塗布部側コネクタ部２０２とを有する。清掃部側コネクタ部２０１は、清掃部３０の取り付け部３４のコネクタ部３４１と着脱可能に嵌合するコネクタ部材である。塗布部側コネクタ部２０２は、塗布部４０の取り付け部４４のコネクタ部４４２と着脱可能に嵌合するコネクタ部材である。
【００２７】
清掃部３０は、ハンガーレール３上に溜まった塵等を取り除くための部材である。清掃部３０は、掻き取り部３２と、取り付け部３４と、掻き取り部３２と取り付け部３４とを連通する連通ピン３６と、取り付け部３４に対し、連通ピン３６を回動軸とする掻き取り部３２の回動動作を停止させるための固定部３７とを含む。
【００２８】
掻き取り部３２は、ハンガーレール３の上部の外形（略凸型形状）に沿ったＪの字形状を有する部材である。ここで、固定部３７を緩めると、掻き取り部３２が連通ピン３６を回動軸として回動可能となる。そして、掻き取り部３２を回動させることで、掻き取り部３２について、取り付け部３４の長手方向（本体部２０の長手方向）に対する角度を自由に調整することができる。そして、所望の位置で固定部３７を締め付けると、掻き取り部３２が連通ピン３６を回動軸として回動できない状態となり、これにより、掻き取り部３２について、取り付け部３４の長手方向（本体部２０の長手方向）に対する角度を固定することができる。
【００２９】
取り付け部３４は、本体部２０の清掃部側コネクタ部２０１と嵌合するコネクタ部３４１を含み、本体部２０に取り付けられた際に、その長手方向が延伸方向（換言すれば、本体部２０の長手方向）に沿った状態で固定される。
【００３０】
塗布部４０は、ハンガーレール３上に潤滑油を塗布するための部材である。塗布部４０は、含浸部４２と、取り付け部４４と、含浸部４２と取り付け部４４とを連通する連通ピン４６と、取り付け部４４に対し、連通ピン４６を回動軸とする含浸部４２の回動動作を停止させるための固定部４７とを含む。
【００３１】
含浸部４２は、ハンガーレール３の上部の外形（略凸型形状）に沿ったＪの字形状を有する部位である。また、含浸部４２は、十分な量の潤滑油が含浸された柔軟部材を有する。含浸部４２は、十分に高い吸油性を有する柔軟部材を有し、例えば、フェルト等の不織布部材を用いて構成することができる。ここで、固定部４７を緩めると、含浸部４２が連通ピン４６を回動軸として回動可能となる。そして、含浸部４２を回動させることで、含浸部４２について、取り付け部４４の長手方向（本体部２０の長手方向）に対する角度を自由に調整することができる。そして、所望の位置で固定部４７を締め付けると、含浸部４２が連通ピン４６を回動軸として回動できない状態となり、これにより、含浸部４２について、取り付け部４４の長手方向（本体部２０の長手方向）に対する角度を固定することができる。
【００３２】
取り付け部４４は、本体部２０の塗布部側コネクタ部２０２と嵌合するコネクタ部４４２を含み、本体部２０に取り付けられた際に、その長手方向が延伸方向（換言すれば、本体部２０の長手方向）に沿った状態で固定される。
【００３３】
上記構成のハンガーレール清掃装置１０の作用について説明する。図３は、保守作業員１５がハンガーレール３に対して清掃作業及び給油作業を行う様子を示す図である。エレベータ１を長期間使用するにあたって、定期的に保守作業員１５による保守作業が行われる。保守作業の中には、ハンガーレール３の上に溜まった塵等を清掃する清掃作業と、ハンガーローラ４がハンガーレール３上を滑らかに転動するためにハンガーレール３の上に潤滑油を塗布する給油作業とがある。
【００３４】
保守作業員１５は、まずハンガーレール３の清掃作業を行う場合には、掻き取り部３２がハンガーレール３を向くような状態で本体部２０を掴み、ハンガーレール３のうち清掃対象の位置までの距離に応じて各筒部材を必要な分だけ引き出して本体部２０の長さを調整し、また、固定部３７を緩めて掻き取り部３２の角度（掻き取り部３２について本体部２０の長手方向に対する角度）を調整し、ハンガーレール３のうち清掃対象の位置に対して清掃しやすい角度となったときに固定部３７を締め付けて固定する。
【００３５】
そして、保守作業員１５は、床面１６に立った状態でハンガーレール３の清掃対象の位置に掻き取り部３２を位置させて、塵等を掻き取ることで清掃作業を無理のない姿勢で行うことができる。
【００３６】
続いて、保守作業員１５は、掻き取り部３２の反対側に位置する含浸部４２がハンガーレール３を向くような状態となるように本体部２０を持ち替えて、ハンガーレール３のうち清掃対象の位置までの距離に応じて本体部２０の長さを調整し、また、固定部４７を緩めて含浸部４２の角度（含浸部４２について本体部２０の長手方向に対する角度）を調整し、ハンガーレール３のうち給油対象の位置に対して給油しやすい角度となったときに固定部４７を締め付けて固定する。
【００３７】
そして、保守作業員１５は、引き続き床面１６に立った状態でハンガーレール３の給油対象の位置に含浸部４２を持っていき、含浸部４２に含まれた潤滑油を塗布することで給油作業を無理のない姿勢で行うことができる。
【００３８】
このように、ハンガーレール清掃装置１０は、本体部２０の一方側には清掃作業を行うための清掃部３０が設けられ、本体部２０の他方側には給油作業を行うための塗布部４０が設けられている。これにより、保守作業員１５は、１つのハンガレール清掃装置１０によってハンガーレール３の清掃作業を行うとともに給油作業を行うことができるため、保守作業の効率を図ることができる。
【００３９】
また、上記のように、ハンガーレール清掃装置１０によれば、清掃対象または給油対象の位置に応じて本体部２０の長さを調整したり、掻き取り部３２または含浸部４２の角度を調整することができる。これにより、保守作業員１５は、床面１６に立った状態のまま、無理のない姿勢で清掃作業及び給油作業を行うことができる。
【００４０】
また、ハンガーレール清掃装置１０によれば、本体部２０の清掃部側コネクタ部２０１と、清掃部３０の取り付け部３４のコネクタ部３４１との嵌合を外すことができる。そして、ハンガーレール清掃装置１０によれば、本体部２０の塗布部側コネクタ部２０２と、塗布部４０の取り付け部４４のコネクタ部４４２との嵌合を外すことができる。これにより、清掃部３０及び塗布部４０をアタッチメントとして使用することができる。
【符号の説明】
【００４１】
１  エレベータ、２  ハンガーケース、３  ハンガーレール、４  ハンガーローラ、５ハンガープレート、６  乗場扉、７  ドアシュー、８  乗場敷居、９  乗場出入口、１０ハンガーレール清掃装置、１１  アップスラストローラ、１２  ストッパー、１３  昇降路壁内面、１４  ボルト、１５  保守作業員、２０  本体部、３０  清掃部、３２  掻き取り部、３４  取り付け部、３６  連通ピン、３７  固定部、４０  塗布部、４２  含浸部、４４  取り付け部、４６  連通ピン、４７  固定部、２０１  清掃部側コネクタ部、２０２  塗布部側コネクタ部、３４１  コネクタ部、４４２  コネクタ部。
【図１】
0005613036.tif 000002
【図２】
0005613036.tif 000003
【図３】
0005613036.tif 000004